(57)【要約】【課題】  レンダリングシステムにおいて高階調処理を行うためには高階調の入力、出力データが必要になるが、パフォーマンスの劣化を防ぎ、コストダウンを行う。【解決手段】  ディザデータを扱う場合に、複数のディザテーブルをもつ場合で同一時間に複数のディザ処理を行うことをしない場合に一番大きいディザテーブルに構成を合わせ、毎ページ自動的に前回のディザテーブルと同じか異なるかの判定を行い、異なる場合においては自動的にディザテーブルをリロードし、ディザのＳＲＡＭの構成を少なくする。【選択図】  図１
2007129650.tif 000002
【特許請求の範囲】
【請求項１】
レンダリング回路を備え、複数のディザ用テーブルのSRAMを有しており、同一ページに異なるディザテーブルを使用しない場合においては、前に使用したディザテーブル情報を持ち、これからレンダリングするディザと同じディザだったか否かの判断をする判断手段を持ち、異なる判断の場合には予めセットされているディザのアドレスから自動的にディザデータを読み込むこみ、またSRAMの構成もそれに合わせて変更することによりSRAMのサイズの低減を図ることを特徴とするレンダリングシステム。
【発明の詳細な説明】
【技術分野】
【０００１】
モノクロ、カラーページプリンタやモノクロ、カラーデジタル複写機等やその他民生品で有効な発明である。
【背景技術】
【０００２】
モノクロ、カラーのシングルファンクションプリンターや、マルチファンクションプリンターで採用しているレンダリングシステムでディザを用いているレンダリングシステムにおいて、複数のディザパターンを有する場合に対応したディザRAMを複数有している。
【０００３】
又、別の従来例としては、特許文献１をあげることが出来る。
【特許文献１】特開2000-032263号公報
【発明の開示】
【発明が解決しようとする課題】
【０００４】
現在のレンダリングシステムはディザパターンに適合したサイズのSRAMを複数有し、それに対応したディザパターンを複数分のSRAMにあらかじめかきこんでいる。しかしながら同一ページで異なるディザパターンを使用していることはなく、１ページ印刷中においては、かならず他のディザ用SRAMは使用していないことになり、その時間としては無駄なRAMが存在することになる。
【０００５】
将来的に入力階調及び出力階調を上げたり、ディザテーブルの拡大、レンダラ−回路の複数化等を鑑みた際にディザのSRAMを小さくすることは重要になる。
【０００６】
本発明においてはSRAMの構成を切り替え、かつDMAを用いてディザパターンを切り替えるときに自動的にディザパターンをリロードすることにより、ASIC内部のSRAMを削減しながらもパフォーマンスを低減させない方法を実現する。
【課題を解決するための手段】
【０００７】
ディザ処理を行う際にどのディザ構成でディザを行うかを判定する手段を有し、前ページで行ったディザ処理の情報を有し、前頁と異なるディザパターンか否かを判定する手段を有し、前回と異なるディザパターンの場合は自動的にディザパターンをリロードする手段を有する。
【発明の効果】
【０００８】
ASIC内部のSRAMを削減しコストダウンを図りながらパフォーマンスの低減を避ける。
【発明を実施するための最良の形態】
【０００９】
次に、本発明の詳細を実施例の記述に従って説明する。
【００１０】
図１は、実施形態のシステムの構成概念図であり、図１は比較的な簡単なネットワーク構成を示している。
【００１１】
コンピュータは、サーバコンピュータ１０２とクライアントコンピュータ１０３ａ，１０３ｂ及び１０３ｃがあり、サーバコンピュータ１０２は、これらのクライアントコンピュータを管理している。なお、図示されていないが、クライアントコンピュータは、これらのほかにも多数接続されており、以下、クライアントコンピュータを代表して１０３と表記する。
【００１２】
また、ネットワーク１０１には、ＭＦＰ（Ｍｕｌｔｉ  Ｆｕｎｃｔｉｏｎ  Ｐｅｒｉｐｈｅｒａｌ：マルチファンクション周辺機器）１０４、１０５及び、プリンタ１０７が接続されている。
【００１３】
ＭＦＰ１０４は、高解像度、高階調のフルカラーでスキャンまたは、プリントなどが可能なフルカラーＭＦＰであり、データ量が膨大となる場合、独立したインターフェイス（後述の２０５）で複数ビットを同時に送受できるものである。一方、ＭＦＰ１０５はモノクロにてスキャン、プリントなどを行うＭＦＰである。また、図示していないがネットワーク１０１上には上記以外のＭＦＰを初め、スキャナ、プリンタあるいは、ＦＡＸなどその他の機器も接続されている。
【００１４】
更に、スキャナ１０６は紙ドキュメントからの画像イメージを取り込む装置で、図のようにネットワークに接続されているものの他に、ＳＣＳＩインターフェイスなどでコンピュータに接続されるものがある。また、スキャナ自体はＭＦＰ１０５の一部の機能としてサポートされている場合もある。
【００１５】
ここで、クライアントコンピュータ１０３上では、いわゆるＤＴＰ（Ｄｅｓｋ  Ｔｏｐ  Ｐｕｂｌｉｓｈｉｎｇ）を実行するアプリケーションソフトウェアを動作させ、各種文書/図形が作成/編集される。クライアントコンピュータ１０３は作成された文書/図形をページ記述言語ＰＤＬ（Ｐａｇｅ  Ｄｅｓｃｒｉｐｔｉｏｎ  Ｌａｎｇｕａｇｅ）に変換し、ネットワーク１０１を経由してＭＦＰ１０４や１０５に送出することで、プリントアウトを行う。
【００１６】
［ＭＦＰ１０５の構成］
次に、ＭＦＰ１０５の構成について説明する。図２に示すように、ＭＦＰ１０５は、画像読み取りを行うスキャナ部２０１とその画像データを画像処理するスキャナＩＰ部２０２と、ファクシミリなどに代表される電話回線を利用した画像の送受信を行うＦＡＸ部２０３と、ネットワークを利用して画像データや装置情報をやりとりするＮＩＣ（Ｎｅｔｗｏｒｋ  Ｉｎｔｅｒｆａｃｅ  Ｃａｒｄ）部２０４と、ＭＦＰ１０５との情報交換を行う専用Ｉ／Ｆ部２０５とを備えている。そして、ＭＦＰ１０５の使い方に応じて、コア部２０６は、メモリ部２１１あるいは、そのメモリ部を区分けして利用されるボックス部２１２と連携して画像信号を一時格納したり、経路を決定したりする制御を行う。
【００１７】
次に、コア部２０６から出力された画像データは、プリンタＩＰ部２０７及び、スクリーニング部２０８を経由して画像形成を行うプリンタ部２０９に送られる。プリンタ部２０９でプリントアウトされたシートはオンラインフィニッシャ部２１０へ送り込まれ、シートの仕分け処理やシートの仕上げ処理が行われる。
【００１８】
コア部２０６はバスの交通整理を行っており、ＭＦＰの使い方に応じて、以下の（A）〜（I）のようにパス切り替えが行われている。また、データがネットワークを経由する際には、ＪＰＥＧ，ＪＢＩＧ，ＺＩＰなど圧縮データを使用することも一般知られており、データがＭＦＰに入った後、このコア部にて解凍（伸張）される。
【００１９】
(A) 複写機能：スキャナ部２０１→コア部２０６→プリンタ部２０９
(B) ネットワークスキャナ：スキャナ部２０１→コア部２０６→ＮＩＣ部２０４
(C) ネットワークプリンタ：ＮＩＣ部２０４→コア部２０６→プリンタ部２０９
(D) ファクシミリ送信機能：スキャナ部２０１→コア部２０６→ＦＡＸ部２０３
(E) ファクシミリ受信機能：ＦＡＸ部２０３→コア部２０６→プリンタ部２０９
(F) ボックス受信機能１：ＮＩＣ部２０４→コア部２０６→ボックス部２１２
(G) ボックス受信機能２：スキャナ部２０１→コア部２０６→ボックス部２１２
(H) ボックス送信機能１：ボックス部２１２→コア部２０６→ＮＩＣ部２０４
(I) ボックス送信機能２：ボックス部２１２→コア部２０６→プリンタ部２０９
ここで、ボックス受信／ボックス送信とは、ボックス部２１２を利用した、データの入力や格納、あるいは、格納されたデータの出力を意味しており、ジョブ毎やユーザ毎にメモリを分割して一次的にデータを保存して、ユーザIDやパスワードを組み合わせてデータの送受信を行う機能である。
【００２０】
更に、ＲＩＰ（Ｒａｓｔｅｒ  Ｉｍａｇｅ  Ｐｒｏｃｅｓｓｏｒ）部２１３は、ＮＩＣ部２０４から入力されたＰＤＬデータを必要に応じて、ビットマップ画像に展開する役割を果たす。
【００２１】
［スキャナ部２０１の構成］
図３を用いてスキャナ部２０１の構成を説明する。３０１は原稿台ガラスであり、読み取られるべき原稿３０２が置かれる。原稿３０２は照明ランプ３０３により照射され、その反射光はミラー３０４、３０５、３０６を経て、レンズ３０７によりＣＣＤ３０８上に結像される。ミラー３０４、照明ランプ３０３を含む第１ミラーユニット３１０は速度ｖで移動し、ミラー３０５、３０６を含む第２ミラーユニット３１１は速度ｖ／２で移動することにより、原稿３０２の全面を走査する。第１ミラーユニット３１０及び第２ミラーユニット３１１はモータ３０９により駆動する。
【００２２】
［スキャナＩＰ部２０２の構成］
モノクロ画像用であるＭＦＰ１０５では、図４に従って、単色の１ラインＣＣＤセンサ３０８を用いて、単色でＡ／Ｄ変換４０１及び、シェーディング４０２を行ったのちコア部２０６に送られる。
【００２３】
［ＦＡＸ部２０３の構成］
ＦＡＸ部２０３は、まず、受信時には、電話回線から来たデータをＮＣＵ（Ｎｅｔｗｏｒｋ Control Unit）で受け取り、電圧の変換を行い、モデムの中の復調部でＡ／Ｄ変換及び復調操作を行った後、伸張し、ラスタデータに展開する。一般にＦＡＸでの圧縮伸張にはランレングス法などが用いられる。ラスタデータに変換された画像は、メモリ部で一時保管され、画像データに転送エラーがないことを確認後、コア部２０６へ送られる。
【００２４】
次に、送信時には、コア部よりやってきたラスタイメージの画像信号に対して、ランレングス法などの圧縮を施し、モデムの変調部にてＤ／Ａ変換及び変調操作を行った後、ＮＣＵを介して電話回線へと送られる。
【００２５】
［ＮＩＣ部２０４の構成］
ＮＩＣ部２０４は、ネットワーク１０１に対してのインターフェイスの機能を持つのが、このＮＩＣ部２０４であり、ＬＡＮケーブルなどを利用して外部からの情報を入手したり、外部へ情報を流したりする役割を果たす。
【００２６】
外部より情報を入手する場合は、まず、トランスで電圧変換され、ＬＡＮコントローラに送られる。ＬＡＮコントローラは、その内部に第１バッファメモリを持っており、その情報が必要な情報か否かを判断した上で、第２バッファメモリに送った後、コア部２０６に信号を流す。
【００２７】
次に、外部に情報を提供する場合には、コア部２０６より送られてきたデータは、ＬＡＮコントローラで必要な情報を付加して、トランスを経由してネットワーク１０１に接続される。
【００２８】
［プリンタＩＰ部２０７の構成］
モノクロの場合は、出力マスキング部５０１は持っていないが、空間フィルタ部５０３の後に、二値化回路５０４により８ｂｉｔから１ｂｉｔのデータに変換される。
【００２９】
［プリンタ部２０９の構成(モノクロＭＦＰ１０５の場合)］
図８に、モノクロプリンタ部の概観図を示す。８１３は、ポリゴンミラーであり、４つの半導体レーザ６０５より発光されたレーザ光を受ける。レーザ光はミラー８１４、８１５、８１６をへて感光ドラム８１７を走査露光する。一方、８３０は黒色のトナーを供給する現像器であり、レーザ光に従い、感光ドラム８１７上にトナー像を形成し、トナー像がシートに転写され、出力画像を得ることができる。
【００３０】
シートカセット８３４、８３５および、手差しトレイ８３６のいずれかより給紙されたシートは、レジストローラ８３７を経て、転写ベルト８３８上に吸着され、搬送される。給紙のタイミングと同期がとられて、予め感光ドラム８１７にはトナーが現像されており、シートの搬送とともに、トナーがシートに転写される。トナーが転写されたシートは、分離され、定着器８４０によって、トナーがシートに定着される。定着器８４０を抜けたシートはフラッパ８５０により一旦下方向へ導かれてシートの後端がフラッパ８５０を抜けた後、スイッチバックさせて排出する。これによりフェイスダウン状態で排出され、先頭頁から順にプリントしたときに正しいページ順となる。
【００３１】
［フィニッシャ部２０９の構成］
図９に、フィニッシャ部の断面構造図を示す。プリンタ部２０９の定着部７４０(または、８４０)を排出したシートは、フィニッシャ部２０９に入る（フィニッシャが接続されている場合）。フィニッシャ部２０９には、サンプルトレイ９０１及びスタックトレイ９０２があり、ジョブの種類や排出されるシートの枚数に応じて切り替えて排出される。
【００３２】
ソート方式には２通りあり、複数のビンを有して各ビンに振り分けるビンソート方式と、後述の電子ソート機能とビン(または、トレイ)を奥手前方向にシフトしてジョブ毎に出力シートを振り分けるシフトソート方式によるソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００３３】
更に、スタックトレイ９０２に排出する場合には、シートが排出される前のシートをジョブ毎に蓄えておき、排出する直前にステープラ９０５にてバインドすることもできる。
【００３４】
そのほか、上記２つのトレイに至るまでに、紙をＺ字状に折るためのＺ折り機９０４、ファイル用の２つ(または３つ)の穴開けを行うパンチャ９０６があり、ジョブの種類に応じてそれぞれの処理を行う。
【００３５】
更に、サドルステッチャ９０７は、シートの中央部分を２ヶ所バインドした後に、シートの中央部分をローラに噛ませることによりシートを半折りし、週刊誌やパンフレットのようなブックレットを作成する処理を行う。サドルステッチャ９０７で製本されたシートは、ブックレットトレイ９０８に排出される。
【００３６】
そのほか、図には記載されていないが、製本のためのグルー(糊付け)によるバインドや、あるいはバインド後にバインド側と反対側の端面を揃えるためのトリム(裁断)などを加えることも可能である。
【００３７】
また、インサータ９０３はトレイ９１０にセットされたシートをプリンタへ通さずにトレイ９０１、９０２、９０８のいずれかに送るためのものである。これによってフィニッシャ２０９に送り込まれるシートとシートの間にインサータ９０３にセットされたシートをインサート（中差し）することができる。インサータ９０３のトレイ９１０にはユーザによりフェイスアップの状態でセットされるものとし、ピックアップローラ９１１により最上部のシートから順に給送する。従って、インサータ９０３からのシートはそのままトレイ９０１、９０２へ搬送することによりフェイスダウン状態で排出される。サドルステッチャ９０７へ送るときには、一度パンチャ９０６側へ送り込んだ後スイッチバックさせて送り込むことによりフェースの向きを合わせる。
【００３８】
次に、トリマ（裁断機）９１２について説明する。サドルステッチャ９０７においてブックレット（中綴じの小冊子）にされた出力は、このトリマ９１２に入ってくる。その際に、まず、ブックレットの出力は、ローラで予め決められた長さ分だけ紙送りされ、カッター部９１３にて予め決められた長さだけ切断され、ブックレット内の複数ページ間でばらばらになっていた端部がきれいに揃えられることとなる。そして、ブックレットホールド部９１４に格納される。
【００３９】
［ＲＩＰ部２１３の構成］
図１１に示すように、ＲＩＰ部へは通常、ＮＩＣ部２１１あるいは、それ以外のＵＳＢやパラレルなどのインターフェイスから入力される。次に、入力デバイス制御部１００１よりサーバ（プリントマネージャ１１５）内に入り、サーバに様々なクライアントアプリケーションを連結することにおいてその役割を果たす。入力としてページ記述言語ＰＤＬ（Ｐａｇｅ  Ｄｅｓｃｒｉｐｔｉｏｎ  Ｌａｎｇｕａｇｅ）データとＪＣＬ（Ｊｏｂ  Ｃｏｎｔｒｏｌ  Ｌａｎｇｕａｇｅ）データを受け付ける。それはプリンタとサーバに関する状態情報であって様々なクライアントに対応する。このモジュール（入力デバイス制御部１００１）の出力は、適切なＰＤＬとＪＣＬの構成要素すべてを結合する役割を持つ。
【００４０】
次に、１００２は入力ジョブ制御部で、ジョブの要求されたリストを管理し、サーバに提出される個々のジョブにアクセスするために、ジョブリストを作成する。更に、このモジュール（入力ジョブ制御部１００２）には、ジョブのルートを決めるジョブルーティング、分割してＲＩＰするか否かを司るジョブスプリット、そしてジョブの順序を決めるジョブスケジューリングの３つの機能がある。
【００４１】
１００３はＲＩＰ（Ｒａｓｔｅｒ  Ｉｍａｇｅ  Ｐｒｏｃｅｓｓｏｒ）部で、複数個存在する。ＲＩＰ１００３ａ，ＲＩＰ１００３ｂあるいは必要に応じて更に増やすことも可能だが、ここでは総称してＲＩＰ部１００３と記載する。ＲＩＰモジュール（ＲＩＰ部１００３）は、様々なジョブのＰＤＬをＲＩＰ処理して、適切なサイズと解像度のビットマップを作成する。ＲＩＰ処理に関しては、ＰｏｓｔＳｃｒｉｐｔ（米国Ａｄｏｂｅ社の商標登録）をはじめ、ＰＣＬ，ＴＩＦＦ，ＪＰＥＧ，ＰＤＦなど様々なフォーマットのラスタライズ処理が可能である。
【００４２】
１００４はデータ変換部で、ＲＩＰ部１００３によって作り出されるビットマップイメージを圧縮したり、フォーマット変換を施したりする役割を果たし、それぞれのプリンタにマッチした最適な画像イメージタイプを選び出す。例えば、ジョブをページ単位で扱いたい場合には、ＴＩＦＦやＪＰＥＧなどをＲＩＰ部でラスタライズした後のビットマップデータにＰＤＦヘッダを付けて、ＰＤＦデータとして編集するなどの処理を行う。
【００４３】
１００５は出力ジョブ制御部で、ジョブのページイメージを取って、それらがコマンド設定に基づいてどう扱われるのかを管理する。ページはプリンタに印刷されたり、ハードディスク１００７にセーブされたりする。印刷後のジョブは、ハードディスク１００７に残すか否かを選択可能であり、印刷後のジョブがハードディスク１００７にセーブされた場合には、再呼び出しすることもできる。さらに、このモジュール（出力ジョブ制御部１００５）は、ハードディスク１００７とメモリ（ＳＤＲＡＭ）１００８との相互作用で管理する。
【００４４】
１００６は出力デバイス制御部で、どのデバイスに出力するか、またどのデバイスをクラスタリング（複数台接続して一斉にプリントすること）するかの制御を司り、選択されたデバイスのインターフェイスに印刷データを送る。また、このモジュール（出力デバイス制御部１００６）は、ＭＦＰ（１０４または１０５）の状態監視と装置状況を伝える役割も果たしている。
【００４５】
なお、ＲＩＰ部１００３は、実際には、ＭＦＰ１０４（または１０５）に内蔵される場合と、別ユニットで存在したりする場合がある。
【００４６】
［操作部］
図１２はＭＦＰ１０４または、１０５の操作部の模式図である。操作部はタッチパネルのＬＣＤ（液晶表示）部２２００とキー操作部２２３０とからなっており、図７はＬＣＤ部２２００のフローチャートを示している。このフローチャートは、複写動作を行うためのコピーモード（Ｓ２１１０）、スキャン送信を行う送信（Ｓｅｎｄ）モード（Ｓ２１２０）、ボックスからの取り出しや編集を行うためのボックスモード（Ｓ２１３０）、各種設定を行うオプションモード（Ｓ２１４０）、システムの状況を知るためのシステムモニタ（Ｓ２１５０）などのモードが用意されており、図１２のＬＣＤ部２２００のモード選択キー２２０１〜２２０５を押下することでこれらのモードが切り替わる仕組みになっている。
【００４７】
図１２では、コピー部数のほかに、紙サイズ、変倍率、画像モードや仕上げ方法などを設定して、スタートキー２２３１を押下すると、コピー動作を行うことができる。
【実施例１】
【００４８】
本発明を表すコントローラ回路を図１３をもとに説明する。
【００４９】
１は内蔵のCPU。２はDDR SDRAMインターフェース、３はスキャナーインターフェース４は本発明を表すPDLデータ描画用回路であるHWDT、５は外部インターフェースであるUSB、６はプリンターインターフェース（PRC）、７はBOOT時のプログラムデータを起動させるROMインターフェースであるAMC。８はPCIインターフェースで図示されないハードディスクやLANコントローラが接続されている。９はJBIG圧縮伸張回路である。１０がSLICV伸張回路である。
【００５０】
１のCPUはBOOT時に７のROMからプログラムデータをリードして動作する。８のPCIインターフェースを経由してPCIに接続されている図示されないハードディスクにアプリケーション用のプログラムがあり、それをDMAで２のDDRSDRAMインターフェース経由でDDRSDRAM上にMappingして１のCPUはそのプログラム情報を読みながら動作する。５は外部インターフェースでプリンタードライバーで生成されたPDLデータ等が入ってくる。またその中にはパーソナルコンピュータのプリンタードライバーで既に圧縮されているRGBカラーデータをSLICV圧縮方式で圧縮されたデータも送られてくる。主にカラーイメージデータである。またそのPDLデータのコード中でCPUはそのデータをもとにDisplayListを生成して一旦２のDDRSDRAMI/Fを経由してDDRSDRAM上にデータを生成し、４の描画回路は２のDDRSDRAMIFを経由してDisplayListを読み込みBitMapデータを生成してDDRSDRAMに書き込む。９のJBIG圧縮伸張回路は必要に応じてJBIG圧縮伸張を行う。画像として出力する場合は３のプリンターエンジンインターフェースが２のDDRSDRAMIF経由でBitMapデータを取得してプリンターエンジンにデータを出力する。
【００５１】
図１４をもとに図１３の４のHWDTの内部回路構成を説明する。
【００５２】
１がメモリからのデータのやりとり行うDMAC、２がHWDTの各サブブロックの制御を行うCONT,３が枠を作成するAREA、４が形を生成するMask回路５，６が模様等を生成するBGとGDである。７が４つのデータを重ね合わせるBPUで各ブロックで生成されたデータを重ね合わせることによりメモリに最後に書き込み、絵を作成する。
【００５３】
図１５をもとにBG回路のSRAM及びディザの構成を説明する。
【００５４】
最大入力階調を16ビット（66536階調）、出力階調を４ビット（16階調）で表すとして
８ｘ８のディザテーブルの場合
１６ビットｘ１６階調ｘ８Pixelｘ８ライン＝２０４８バイト
２０ｘ６のディザテーブルの場合
１６ビットｘ１６階調ｘ２０Pixelｘ６ライン＝３８４０バイト
例えば、これで１つのチップにBG、GDで４個のHWDTをのせたときにBG,GD回路は同じなので２０４８バイトｘ２×４個＋３８４０バイト×２×４個＝４７１０４バイト必要になる。例えばこれでディザテーブルを大きくしたり、入力階調や出力階調を増加させた場合、HWDTの個数をふやしたりディザテーブルを増加させた場合は当然RAM容量は増加する。
【００５５】
通常ディザテーブルは２つ持たせてあらかじめCPUやDMAでデータをロードさせておく。
【００５６】
しかしながら、２つのディザテーブルを同時に必要にすることはないため、必要に応じてRAMの構成をかえ、データをリロードさせれば片方のディザRAMの容量ですむことになる。
【００５７】
図１６に図１５のディザテーブルの構成をダイナミックに変更するためのRAM構成を記載する。
【００５８】
８ｘ８ディザの場合１ラインあたり６４ワード必要で８ラインで連続させて５１２ワードのSRAM構成になる。
【００５９】
２０ｘ６のディザの場合１ラインあたり１６０ワード必要になる。連続させてRAMをマッピングさせるとアドレスは３ｃ０ｈになる。
【００６０】
従って、ディザデータを比較する際のアドレスのインクリメント方法によってディザデータの出力が変る。
【００６１】
図１７に実際のタイミングを記載する。
【００６２】
（１）アプリケーションリストの解析により、ディザが前に使用されたディザテーブルか否か判断し
（２）ディザRAMの構成変更を行い
（３）ディザデータのリロード
（４）リロード終了信号によって、HWDTの起動を開始
となる。
【００６３】
図１８にそのフローチャートを記載する。
【００６４】
（１）アプリケーションリストを取り込み、解析を開始する。
【００６５】
（２）ディザを使用するアプリケーションであるか否かを判定しする。
【００６６】
（３）使用するアプリケーションであれば、次の前回の使用したディザテーブルの保持情報を参照し、前回と同じディザかを判定する
（４）判定後使用していないディザテーブルの場合は予め格納されているディザテーブルのアドレス情報をもとにディザをリロード開始する。
【００６７】
（５）リロード終了を認識したら、次にパイプラインで動作させていたアプリケーションリストの解析が終了したか否かを判断し
（６）HWDTの起動を開始する
（７）終了すれば次のアプリケーションリストの解析を再開する
なお、図５は、プリンタのデータ処理構成を示すブロック図、図６は、スクリーニング部におけるＰＷＭ処理を説明する図、図１０は、ＲＩＰ部の構成を示すブロック図である。
【図面の簡単な説明】
【００６８】
【図１】本発明の画像形成システム構成を示すブロック図。
【図２】ＭＦＰの構成を示すブロック図。
【図３】スキャナ部の構成示す断面図。
【図４】スキャナのデータ処理構成を示すブロック図。
【図５】プリンタのデータ処理構成を示すブロック図。
【図６】スクリーニング部におけるＰＷＭ処理を説明する図。
【図７】ＭＦＰの操作部のＬＣＤ部におけるフローチャート。
【図８】プリンタ部（特にモノクロプリンタ部）の構造を示す断面図。
【図９】オンラインフィニッシャ部の構成を示す断面図。
【図１０】ＲＩＰ部の構成を示すブロック図１。
【図１１】ＲＩＰ部の構成を示すブロック図２。
【図１２】ＭＦＰの操作部の模式図１。
【図１３】本発明を表すＭＦＰのコントローラメインＡＳＩＣのブロック図。
【図１４】本発明を表すHWDT回路。
【図１５】本発明を表すディザテーブルのSRAMの構成図。
【図１６】本発明を表す２つのディザRAMの構成図。
【図１７】本発明を表すタイムチャート。
【図１８】本発明を表すフローチャート。
【図１】
2007129650.tif 000003
【図２】
2007129650.tif 000004
【図３】
2007129650.tif 000005
【図４】
2007129650.tif 000006
【図５】
2007129650.tif 000007
【図６】
2007129650.tif 000008
【図７】
2007129650.tif 000009
【図８】
2007129650.tif 000010
【図９】
2007129650.tif 000011
【図１０】
2007129650.tif 000012
【図１１】
2007129650.tif 000013
【図１２】
2007129650.tif 000014
【図１３】
2007129650.tif 000015
【図１４】
2007129650.tif 000016
【図１５】
2007129650.tif 000017
【図１６】
2007129650.tif 000018
【図１７】
2007129650.tif 000019
【図１８】
2007129650.tif 000020